(57)【要約】【課題】  構造が簡単でしかも任意の回動位置（折り畳み角度）で上筐体を停止させ且つ長時間確実に保持することを可能とした携帯電話機を提供すること。【解決手段】  表示部等が装備される上筐体１と、情報入力部等が装備される下筐体２と、この上下各筐体１，２を相互に起伏動作自在に連結するヒンジ部３とを有し、外部との情報送受信およびこれに対応した情報処理を実行する通信情報処理手段４が装備されて成る携帯電話機であって、ヒンジ部３の一部に前記上下各筐体１，２が摺接する回動摺接部５を設けると共に、この回動摺接部５に、前記下筐体２に保持され前記上筐体１との当接面に圧接力を発生すると共に当該発生した圧接力を保持する圧接係合機構６を併設したこと。【選択図】  図１
2007208628.tif 000002
【特許請求の範囲】
【請求項１】
表示部等が装備される上筐体と、情報入力部等が装備される下筐体と、この上下各筐体を相互に回転自在に連結するヒンジ部とを有し、外部との情報送受信およびこれに対応した情報処理を実行する通信情報処理手段が装備されて成る携帯電話機において、
前記ヒンジ部の一部に前記上下各筐体が摺接する回動摺接部を設けると共に、この回動摺接部に、前記下筐体に保持され前記上筐体との当接面に圧接力を発生すると共に当該発生した圧接力を保持する圧接係合機構を併設したことを特徴とする携帯電話機。
【請求項２】
前記請求項１に記載の携帯電話機において、
前記圧接係合機構が、前記下筐体側に形成された雌ねじ部及び当該雌ねじ部に螺合する雄ねじ部とから成るネジ機構と、前記雄ねじ部の頭部に形成された外部操作部と、この雄ねじ部の先端部に形成され前記上筐体の一部に当接すると共に前記ネジ機構の動作によって所定の押圧力を発生する当接押圧面とを備えていることを特徴とする携帯電話機。
【請求項３】
前記請求項２に記載の携帯電話機において、
前記圧接係合機構の雄ねじ部は、その先端部の端面が前記上筐体１の当接面に対応して平坦な端面としたことを特徴とする携帯電話機。
【請求項４】
前記請求項２に記載の携帯電話機において、
前記圧接係合機構の雄ねじ部は、その先端部外面が円錐体状に形成され、この円錐体状外面が当接する前記上筐体側の一部には、前記円錐体状外周面に対応して凹状円錐面が形成されていることを特徴とした携帯電話機。
【請求項５】
前記請求項１に記載の携帯電話機において、
前記圧接係合機構を、前記下筐体側に収納されたばね機構と、このばね機構の押圧力を受けて前記上筐体の一部に圧接される圧接子と、この圧接子が前記上筐体の一部に圧接される状態を阻止するストッパ機構とにより構成し、
前記ストッパ機構を前記下筐体側に装備したことを特徴とする携帯電話機。
【請求項６】
前記請求項５に記載の携帯電話機において、
前記ストッパ機構を、前記圧接子の一部に形成された傾斜面と、この傾斜面に当接して前記圧接子を外部操作によって前記上筐体の一部から引き離す方向に移動させる操作子と、前記下筐体側に形成されて前記操作子を保持すると共に当該操作子の動作を案内するガイド部とにより構成し、
前記圧接子が前記上筐体から引き離された場合に前記操作子を係止する操作子係止用突起を前記ガイド部に併設したことを特徴とする携帯電話機。
【請求項７】
前記請求項６に記載の携帯電話機において、
前記ストッパ機構の操作子が、前記操作子係止部の係止機能を一時的に解除する係止状態解除機能を備えていることを特徴とした携帯電話機。
【請求項８】
前記請求項１に記載の携帯電話機において、
前記圧接係合機構を、前記下筐体側に収納されたばね機構と、このばね機構の押圧力を受けて前記上筐体の一部に圧接される圧接子と、この圧接子を保持すると共に当該圧接子の移動を案内する圧接子保持部材と、この圧接子保持部材を前記下筐体に係合自在に係止する保持部材係止機構とにより構成したことを特徴とする携帯電話機。
【請求項９】
前記請求項８に記載の携帯電話機において、
前記圧接係合機構の圧接子は、その先端部外面が円錐体状に形成され、この円錐体状外面が当接する前記上筐体側の一部には、前記圧接子の円錐体状外面に対応して凹状円錐圧接面が形成されていることを特徴とする携帯電話機。
【発明の詳細な説明】
【技術分野】
【０００１】
本発明は、携帯電話機に係り、特に上筐体と下筐体とを備え両者を相互に回転自在に連結するヒンジ部を備えた携帯電話機に関する。
【背景技術】
【０００２】
近年、携帯電話機は多機能化が進んでおり、通常の音声通話に加え、文字や画像のデータ通信や、テレビ電話、テレビ視聴などが可能となっている。それに伴い、携帯電話機を使用する状況も変化してきており、耳にあてて通話するだけではなく、机などに置いてテレビ電話をするなどの状況も見られるようになった。
【０００３】
多くの携帯電話機は上筐体と下筐体とが折り畳み形状をしており、机に置く際に表示部分の角度を変えられて都合が良い。しかしながら、折り畳み型携帯電話機のヒンジ部分は、滑らかな摺動と閉じた状態や開いた状態を保持する機能を必要としており、多くはヒンジ動作の動きが軽いものが好まれている。
【０００４】
一方、多機能化によって上筐体側の重さが増えており、これがため、必ずしも上筐体部を望む角度で止められるとは限らず、机に置いて使用する際に、不都合が生じる場合があった。
かかる不都合を改善するものとして下記特許文献１，２がある。
【０００５】
この内、特許文献１のものは、例えば閉じた状態から開いた上位体に至１８０°の範囲で複数の領域に分割して起伏回動を設定するようにしている点に特徴を有する構造となっている。又、特許文献２のものは、カム機構とバネ機構とを備えた回転摩擦機構を装備し、カム機構の操作によって回転摩擦力を発生させて任意の位置に上筐体を保持することを意図したものとなっている。
【特許文献１】特開２００２−３４４５９７
【特許文献２】特開平１０−２５２７３９
【発明の開示】
【発明が解決しようとする課題】
【０００６】
しかしながら、上記各特許文献１および２のものは、いずれも構造が複雑となり部品点数が多いことから生産性が悪く、更には故障に際しての修復や保守点検に手間どるという不都合が常に存在していた。
【０００７】
本発明は、かかる従来例の有する不都合を改善し、構造が簡単でしかも任意の回動位置（折り畳み角度）で上筐体を停止させ且つ長時間確実に保持することを可能とした携帯電話機を提供することを、その目的とする。
【課題を解決するための手段】
【０００８】
上記目的を達成するため、本発明にかかる携帯電話機では、表示部等が装備される上筐体と、情報入力部等が装備される下筐体と、この上下各筐体を相互に回転自在に連結するヒンジ部とを有し、外部との情報送受信およびこれに対応した情報処理を実行する通信情報処理手段が装備されて成る携帯電話機において、前記ヒンジ部の一部に前記上下各筐体が摺接する回動摺接部を設けると共に、この回動摺接部に、前記下筐体に保持され前記上筐体との当接面に圧接力を発生すると共に当該圧接力を保持する圧接係合機構を併設したことを特徴とする（請求項１）。
【０００９】
このため、これによると、上筐体の折り畳み角度（回動位置）を任意の位置に配置した後に圧接係合機構を外部操作して所定の圧接力を設定すると、当該圧接力によって上筐体が前述した所定の折り畳み角度の位置に維持される。
【００１０】
ここで、前述した圧接係合機構を、前記下筐体側に形成された雌ねじ部及び当該雌ねじ部に螺合する雄ねじ部とから成るネジ機構と、前記雄ねじ部の頭部に形成された外部操作部と、この雄ねじ部の先端部に形成され前記上筐体１の一部に当接すると共に前記ネジ機構の動作によって所定の押圧力を発生する当接押圧面とを備えた構成としてもよい（請求項２）。この場合、前述した雄ねじ部は、その先端部の端面が前記上筐体１の当接面に対応して平坦な端面としてもよい（請求項３）。
【００１１】
このようにすると、ネジ機構の雄ねじ部の操作部を外部操作して回すだけで、下筐体側に装備されたネジ機構が有効に機能し、雄ねじ部の先端部が前記上筐体の一部に突き当たりスラスト方向に圧接する。これによって当該上筐体の一部との間にこの圧接力に対応した摩擦力が発生することから、上筐体の折り畳み角度（回動位置）を任意の位置に設定した状態で当該設定角度を維持することができる。
【００１２】
更に、前述した雄ねじ部の先端部外面を円錐体状に形成し、この円錐体状外面が当接する前記上筐体側の一部に、前記円錐体状外面に対応して凹状円錐面を形成するようにしてもよい（請求項４）。
このようにすると、上筐体の一部と下筐体側の雄ねじ部との間の当接面積が増大して大きい圧接力を発生させることができ、これによって大きい摩擦力が生じ、同時に、雄ねじ部の締めつけによって、雄ねじ部の円錐体状外面と下筐体側のヒンジ部の一部とで上筐体の一部がラジアル方向に挟持されることから、上下の各筐体を相互にラジアル方向で固定することとなり、これがため、安定した状態で上筐体の折り畳み角度（回動位置）を任意の位置に長時間維持することが可能となる。
【００１３】
又、前述した圧接係合機構を、下筐体側に収納されたばね機構と、このばね機構の押圧力を受けて前記上筐体の一部に圧接される圧接子と、この圧接子が前記上筐体の一部に圧接される状態を阻止するストッパ機構とにより構成してもよい（請求項５）。
【００１４】
このようにすると、下筐体側に装備された圧接子をばね機構によって上筐体の一部に圧接させることができ、これにより、ばね機構のばね圧に対応したスラスト方向の圧接力（摩擦力）が圧接子と上筐体との間に発生し、上筐体の折り畳み角度（回動位置）を任意の位置に設定した場合に当該設定角度が、前述した圧接子と上筐体との間の摩擦力によって固定され保持される。
又、ストッパ機構を必要に応じて作動させて前述した圧接子が前記上筐体の一部に圧接されるのを阻止すると、上筐体と下筐体との間のスラスト方向の圧接力が印加されなくなり、圧接固定状態が解放される。これにより、上筐体と下筐体とはヒンジ部を介して滑らかな摺動と任意の折り畳み角度（回動位置）の位置での固定とを、自在に選択設定することができ、種々の使い方が可能となる。
【００１５】
又、前述したストッパ機構を、前述した圧接子の一部に形成された傾斜面と、この傾斜面に当接して前記圧接子を外部操作によって前記上筐体の一部から引き離す方向に移動させる操作子と、前記下筐体側に形成されて前記操作子を保持すると共に当該操作子の動作を案内するガイド部とにより構成する。そして、前述した圧接子が前記上筐体から引き離された場合に機能して前記操作子を係止する操作子係止用突起を前記ガイド部に設けた構成としてもよい（請求項６）。更に、前述した操作子が、前記操作子係止部の係止動作を一時的に解除する係止状態解除機能を備えた構成としてもよい（請求項７）。
【００１６】
このようにすると、操作子を具体的に操作することにより、前述したストッパ機構の機能を実行させたり停止させたりすること（即ち、圧接子が上筐体の一部に圧接されるのを阻止したり解除したりすること）ができ、これによって前述した圧接係合機構を外部から任意に操作して上筐体の滑らかな摺動と任意の折り畳み角度（回動位置）の位置での固定とを、ヒンジ部を介して自在に設定することができるという利点がある。
【００１７】
更に、前述した圧接係合機構を、下筐体側に収納されたばね機構と、このばね機構の押圧力を受けて前記上筐体の一部に圧接される圧接子と、この圧接子を保持すると共に当該圧接子の移動を案内する圧接子保持部材と、この圧接子保持部材を前記下筐体に係合自在に係止する保持部材係止機構とにより構成してもよい（請求項８）。又、前述した圧接係合機構の圧接子の先端部外面を円錐体状に形成し、この円錐体状外面が当接する前記上筐体側の一部には前述した圧接子の円錐体状外面に対応して凹状円錐圧接面を形成するという構成としてもよい（請求項９）。
このようにしても前述した各携帯電話機と同等に機能する携帯電話機を得ることができる。
【発明の効果】
【００１８】
本発明は、上述したように構成され機能するので、これによると、構造が簡単となるばかりでなく任意の回動位置（折り畳み角度）で上筐体を停止させ且つ長時間確実に保持することを可能となり、構造が単純化され且つ構成部材が少ないので、軽量化が可能となり、同時に生産性及び保守性を高めることができるという従来にない優れた携帯電話機を提供することができる。
【発明を実施するための最良の形態】
【００１９】
〔第１の実施形態〕
以下、本発明の第１の実施形態を図１乃至図２に基づいて説明する。
【００２０】
（構成）
図１に、本発明の第１実施形態である折り畳み式の携帯電話機１０の外観図を示す。この図１に示す第１の実施形態は、ヒンジ部材３の軸方向に沿って印加されるスラスト方向の圧接力によって上筐体１を任意の折り畳み角度で固定するようにしたものである。
【００２１】
以下これを詳細に説明する。
図１に示すように、この第１実施形態における携帯電話機１０は、表示部１１等が装備される上筐体１と、情報入力部１２等が装備される下筐体２と、この上下各筐体１，２を相互に回転自在に連結するヒンジ部３とを有し、外部との情報送受信およびこれに対応した情報処理を実行する通信情報処理手段４（図２参照）が装備されている。
【００２２】
ヒンジ部３の一部には、後述するように、前述した上下各筐体１，２の連結部分としての回動摺接部５が設けられている（図３参照）。この回動摺接部５には、前述した下筐体２に保持され前記上筐体２との当接面にスラスト方向の圧接力を発生すると共に当該圧接力を保持する圧接係合機構６が併設されている。又、この携帯電話機１０の信号処理系を図２に示す。この図２において、符号４Ａは送受信アンテナを示し、符号１２は情報入力部を示す。
【００２３】
前述した上筐体１には、通話時に相手の音声を聞くためのレシーバ１３が装備されている。前述した表示部１１は、受信される通話相手の音声情報又は映像情報等を表示する機能を備えている。又、下筐体２には、通話時に通話相手に対して自己（携帯使用者）の音声を入力するためのマイク１４が装備されている。前述した情報入力部１２は、所定の文字情報や各構成部分の種動作指令等を入力する複数の操作ボタン１２ａを備えている。更に、風景若しくは必要な画像等を直接入力するカメラ機能を備えた映像記録部（図示せず）等が装備されている。
図２において、符号１３ａは前述した音声受信用のレシーバ１３に対応して設けられたレシーバ穴を示す。又符号１４ａは前述したマイク１４に対応して設けられたマイク穴を示す。
【００２４】
上記携帯電話機１０のヒンジ部３部分の詳細図を、図３に示す。
この図３において、ヒンジ部３を構成する上筐体１の一部には、図３（Ｂ）に示すように円筒嵌合部３Ａが設けられ、この円筒嵌合部３Ａに前述した下筐体２の被嵌合部３Ｂが回転自在に嵌合されている。この円筒嵌合部３Ａと被嵌合部３Ｂとによって前述した回動摺接部５が構成され、ヒンジ部３の開閉時には上筐体１の円筒嵌合部３Ａが支軸として機能するようになっている。
【００２５】
前述した圧接係合機構６は、下筐体２側に形成された雌ねじ部７Ａ及び当該雌ねじ部７Ａに螺合する雄ねじ部７Ｂとから成るネジ機構７と、雄ねじ部７Ｂの頭部に形成された外部操作部としてのツマミ部７Ｂａと、この雄ねじ部７Ｂの先端部に形成され前記上筐体１の一部に当接すると共に前記ネジ機構７の動作によって所定の押圧力を発生する当接押圧面７Ｂｂとにより構成されている。前述したツマミ部７Ｂａは、図３（Ｂ）に示すようにヒンジ部３の側端面に装備されている。
又、前述した雄ねじ部７Ｂは、その先端部の端面が前述した上筐体１の当接面３Ａａに対応して平坦な端面に形成されている。ここで、上筐体１の当接面３Ａａは、本実施形態では前述した円筒嵌合部３Ａの突出端面がこれに相当する（図３（Ｂ）参照）。
【００２６】
（第１実施形態の動作等）
次に、上記実施形態の動作等について説明ずる。
【００２７】
上述した折り畳み式の携帯電話機の上筐体１を図１に示すように好みの角度に設定した後に、ヒンジ部３の側端部分に配設されたツマミ部７Ｂａを回転させると、このツマミ部７Ｂａの本体である雄ねじ部７Ｂが回転進行し、その先端部の当接押圧面７Ｂｂが前述した円筒嵌合部３Ａの突出端面（上筐体１側の当接面３Ａａ）に当接して雄ねじ部７Ｂに加えられた回転力に応じたスラスト方向の圧接力が発生し、これによって圧接される。
【００２８】
上記ヒンジ部３における摺動動作は、前述した圧接力によって各筐体１，２が相互に一体化されることによって止められる。これにより、好みの角度を維持したまま、折り畳み式携帯電話機を机の上に置くなどして使用することが出来る。その他、携帯電話機としての基本的動作機能等については、前述した従来例と同一となっている。
このため、上記第１の実施形態では、上筐体１の折り畳み角度（回動位置）を任意の位置に配置した後に圧接係合機構６を外部操作して所定の圧接力を設定すると、このスラスト方向に生じる圧接力によって、上筐体１が図１に示すように所定の折り畳み角度の位置に維持される。
【００２９】
又、この第１実施形態では、前述したネジ機構７の雄ねじ部７Ｂの操作部であるツマミ部７Ｂａを外部操作して回すだけで、下筐体２側に装備されたネジ機構７が有効に機能し、雄ねじ部６Ｂの先端部が前記上筐体１の一部である円筒嵌合部３Ａの突出端面に突き当たり圧接する。これによって当該上筐体１の一部との間にこのスラスト方向の圧接力が発生し、この圧接力に対応した摩擦力が発生することから、前述したように、上筐体１の折り畳み角度（回動位置）を任意の位置に設定した状態で当該設定角度を維持することができる。
【００３０】
更に、上記第１実施形態によると、上筐体１の折り畳み角度（回動位置）の固定位置を、ネジ機構７を主体として構成したので、その構造が単純化される。このため、部品点数が少なくすることができ、任意の回動位置（折り畳み角度）で上筐体１を停止させ且つ長時間確実に保持することを可能となり、構造が単純化され且つ構成部材が少ないので、軽量化が可能となり、同時に生産性及び保守性を高めることができ、従ってコスト・組み立て性に優れた携帯電話機を得ることができる。
【００３１】
（第１実施形態の変形例）
次に、上記第１実施形態の変形例を、図４に基づいて説明する。
この図４に示す変形例は、前述した雄ねじ部の先端部を円錐体状に形成し、この雄ねじ部の先端部と下筐体側のヒンジ部の一部とで上筐体の一部をラジアル方向で挟持する構成とし、これによって上筐体１を任意の折り畳み角度で長時間固定可能としたものである。具体的には、雄ねじ部によるスラスト方向の押圧力をラジアル方向の押圧力に変換して有効利用するように構成した点に特徴を有する。
【００３２】
以下、これを具体的に説明する
この図４に示す変形例は、前述した図３に開示したネジ機構７における雄ねじ部７Ｂの先端部を円錐体状に形成した点に特徴を有する。
ここで、前述したように、図３（第１実施形態）に示すヒンジ部３では、圧接係合機構６の雄ねじ部７Ｂはその先端部端面が平坦面に形成されている。
これに対し、この図４に示す携帯電話機のヒンジ部３では、圧接係合機構６の雄ねじ部１７Ｂは、その先端部外面が前述したように円錐体状に形成され、同時に、この円錐体状外周面１７Ｂｂが当接する前記上筐体１側の一部（円筒嵌合部３Ａの突出端面）には上述した円錐体状外周面１７Ｂｂに対応して凹状円錐圧接面３Ａｂが形成されている。その他の構成は前述した図３の実施形態と同一となっている。
【００３３】
この場合、前述した図３の場合と同様に、上筐体１側を好みの角度に設定したところで、ツマミ部１７Ｂａを外部操作して回すと、雄ねじ部１７Ｂの先端部の円錐体状外周面１７Ｂｂが上筐体１側の前述した円筒嵌合部３Ａの突出端面に形成された凹状円錐圧接面３Ａｂに突き当たりスラスト方向に圧接する。すると、この圧接状態にある円錐嵌合部では円錐状の角度が有効に機能して、圧接による摩擦力と共に、円筒嵌合部３Ａの内面側でラジアル方向に拡がろうとする押圧力が生じる。この場合、円筒嵌合部３Ａの外側には、下筐体２の筒状部分がヒンジ部３の一部として存在している。
【００３４】
このため、前述した上筐体１側の円筒嵌合部３Ａは、内側に圧接される雄ねじ部１７Ｂの先端部と外側に位置する下筐体２の筒状部分とによってラジアル方向にて挟持される。即ち、この図４ではラジアル方向に挟持力が発生し、これによって、このヒンジ部３部分で、上筐体１と下筐体２とは上筐体１の円筒嵌合部３Ａ部分に生じるラジアル方向の挟持力によって固定される。かかる状況は、上筐体１が弾性を備えたプラスチック製部材によって構成されている場合に顕著に生ずる。
これにより、この図４に示す変形例では、ヒンジ部３部分におけるラジアル方向の挟持力が有効に機能し、前述した圧接摩擦力と共にヒンジ部３の摺動がラジアル方向に一部挟持されて有効に規制されることとなり、好みの角度を維持したまま、折り畳み型携帯電話機を机の上に置いて使用することが出来る。
【００３５】
このように、上記図４に示す変形例にあっては、前述した図３の実施形態がスラスト方向の圧接摩擦力によって折り畳み型携帯電話機の折り畳み角度を維持するように構成されているのに対し、図４の変形例では、ヒンジ部３内にラジアル方向の挟持力を発生させて携帯電話機の折り畳み角度を維持するように構成した点に特徴を有する。
【００３６】
更に、上記図４の変形例では、雄ねじ部１７Ｂの円錐体状外周面１７Ｂｂと、これに当接する上筐体１側の一部（円筒嵌合部３Ａの突出端面）に当該円錐体状外周面１７Ｂａに対応して形成された凹状円錐圧接面３Ａｂとは、相互に嵌合当接するように構成されていることから、相互間の圧接力を緩めると、円錐嵌合部として機能し、ヒンジ部３開閉時には軸の役割をも担うという利点もある。
【００３７】
〔第２の実施形態〕
次に、第２の実施形態を図５に基づいて説明する。
この第２の実施形態は、前述した第１の実施形態（図３）の場合と同様に、ヒンジ部３部分において当該の軸方向に沿って（ばね機構２６Ａと圧接子２６Ｂとによって）上筐体１の所定箇所に印加されるスラスト方向の圧接力によって上筐体１を任意の折り畳み角度で固定するようにしたものである。ここで、前述した第１の実施形態（図３）と同一の構成部材については同一の符号を用いるものとする。圧接子２６Ｂ
【００３８】
（構成）
図５に示すように、この第２の実施形態における携帯電話機２０は、前述した第１実施形態と同様に、表示部１１等が装備される上筐体２１と、情報入力部１２等が装備される下筐体２２と、この上下各筐体２１，２２を相互に起伏動作自在に連結するヒンジ部２３とを有し、外部との情報送受信およびこれに対応した情報処理を実行する通信情報処理手段４（図２参照）が装備されている。上記ヒンジ部２３は、上筐体２１と下筐体２２の各係合部２１Ａ，２２Ａが蝶番状に加工され係合された形態をもって構成されている。
【００３９】
このヒンジ部２３の一部には、前述した上下各筐体２１，２２の係合連結部分としての回動摺接部２４が設けられている。この回動摺接部２４には、前述した下筐体２２に保持され前記上筐体２１側との当接面（後述する嵌合突出部２１Ｅの先端部端面２１Ｅａ）に所定の圧接力を発生する圧接係合機構２６が併設されている。ここで、この回動摺接部２４および圧接係合機構２６は、いづれもヒンジ部２３の一部を成すと共に同一の回転軸芯上に配設されている。
【００４０】
前述した圧接係合機構２６は、図５に示すように下筐体２２側に収納されたばね機構２６Ａと、このばね機構２６Ａの押圧力を受けて前記上筐体２１の一部に圧接される圧接子２６Ｂと、この圧接子２６Ｂが前記上筐体２１の一部に圧接される状態を阻止するストッパ機構２７とにより構成されている。
【００４１】
更に、前述したばね機構２６Ａは本実施形態ではコイルばねが使用されている。このコイルばねから成るばね機構２６Ａは、前述したヒンジ部２３の下筐体２２側の一部で図５（Ａ）における右端部内に設けられた空洞部２３Ａ内に、所定の初期圧が付加されて収納されている。図５（Ｂ）にその詳細断面を示す。
又、この図５（Ｂ）に示すように、前述した空洞部２３Ａ内の左端部（当該空洞２３Ａの内側開口部）に、前述した上筐体２１の一部が突出して回転自在に嵌合され、この上筐体２１の嵌合突出部２１Ｅと前記下筐体２２の空洞２３Ａの開口側部分２３Ａａとによって前述した回動摺接部２４が構成されている。
【００４２】
そして、この回動摺接部２４における前記上筐体２１側の嵌合突出部２１Ｅの端面と前記ばね機構２６Ａとの間に前述した圧接子２６Ｂが配設され、これによって当該圧接子２６Ｂがばね機構２６Ａに押圧されて前述した嵌合突出部２１Ａの先端部端面２１ａに圧接されるようになっている。上記圧接子２６Ｂは、ヒンジ部２３内で、そのスラスト方向に自由に移動できるように組み込まれている。
ここで、圧接子２６Ｂは、図５（Ｂ）において、その左端部に圧接円盤部２６Ｂａが設けられ、この圧接円盤部２６Ｂａに続いて、同図の右方向に、ネック部２６Ｂｂ，円錐体状に形成された係止用のスカート状傾斜面（テーパ面）２６Ｂｃ，およびばね用ガイド軸２６Ｂｄが、順次一体的に設けられている。
【００４３】
このため、下筐体２２側に装備された圧接子２６Ｂをばね機構２６Ａによって上筐体２１の一部に圧接させることができ、これにより、ばね機構２６のばね圧に対応した押圧力（摩擦力）が圧接子２６Ｂと上筐体２１との間に発生し、上筐体２１の折り畳み角度（回動位置）を任意の位置に設定した場合に当該設定角度が、前述した圧接子２６Ｂと上筐体２１側との間の摩擦力によって固定され保持される。
【００４４】
又、ストッパ機構２７を必要に応じて作動させて圧接子２６Ｂが前記上筐体２１の一部に圧接されるのを阻止すると、上筐体２１と下筐体２２との間の固定状態が解放される。  これにより、上筐体２１と下筐体２２とはヒンジ部２３を介して滑らかな摺動と任意の折り畳み角度（回動位置）の位置での固定とを、自在に選択設定することができ、種々の使い方が可能となる。
【００４５】
前述したストッパ機構２７は、上述した圧接子２６Ｂの一部に形成されたテーパ面であるスカート状傾斜面２６Ｂｃに当接して前記圧接子２６Ｂが前記上筐体２１側の嵌合突出部２１Ａの端面に圧接するのを阻止する操作子２７Ａと、前記下筐体２１側に設けられて前記操作子２７Ａを保持すると共に当該操作子２７Ａの動作を案内するガイド部２７Ｂとにより構成されている。
【００４６】
ここで、上述したストッパ機構２７の操作子２７Ａは、プラスチック等のバネ性を備えた弾性部材からなり、図５（Ｂ）に示すように、逆Ｕ字状に形成された操作子本体２７Ａａと、この操作子本体２７Ａａの湾曲部外面（図中の上端部）に設けられ前記圧接子２６Ｂのスカート状傾斜面２６Ｂｃに当接して当該圧接子２６Ｂの移動を阻止するくさび形状の傾斜当接面２７Ａｂと、前記操作子本体２７Ａａの開放部分（図中の下側端部）の外側に形成された操作片２７Ａｅ，２７Ａｆと、前述した圧接子２６Ｂを前記上筐体２１側から引き離した位置で前記操作子本体２７Ａａを一時的に保持するための係止用フック２７Ａｈとを備えた構成となっている。
この係止用フック２７Ａｈは、前述したガイド部２７Ｂに設けられた操作子係止部２７Ｂａに係合自在に係止されるようになっている。
【００４７】
更に、この操作子２７Ａは、バネ性を備えた弾性部材によってその操作子本体２７Ａａが逆Ｕ字状に形成されていることから、前述した操作片２７Ａｅ，２７Ａｆの相互間を近づけるように外部操作すると、当該操作子本体２７Ａａに設けられた係止用フック２７Ａｈが前述した下筐体２２側の操作子係止部２７Ｂａから離される。これにより前述した操作子係止部２７Ｂａによる係止動作が一時的に解除されることとなる。即ち、これにより、操作子２７Ａが備えている係止状態解除機能が実行される。
【００４８】
（第２実施形態の動作等）
上述した折り畳み型携帯電話機２０の上筐体２１を好みの角度に設定した後、ストッパ機構２７の操作子２７Ａのツマミである操作片２７Ａｅ，２７Ａｆを強く摘んで方向Ｅ（図５（Ｂ）の下方）に引くと、操作片２７Ａｅ，２７Ａｆの相互間が近づくことから係止用フック２７Ａｈが前述した下筐体２側の操作子係止部２７Ｂａから離される。
即ち、ストッパ機構２７による前述した圧接子２６Ｂに対する移動停止状態（圧接阻止状態）が解除されるため、圧接子２６Ｂは前述したばね機構２６Ａによってスラスト方向に押圧され、その先端部である圧接円盤部２６Ｂａが上筐体２１側の嵌合突出部２１Ａの端面２１Ａａに圧接する。これにより、ヒンジ部２３の摺動動作を圧接子２６Ｂと嵌合突出部２１Ａの端面との圧接により生じる摩擦力によって上筐体２１全体の回動を停止させることができる。
【００４９】
このように、操作子２７Ａを具体的に操作することにより、前述したストッパ機構２７の機能を実行させたり停止させたりすること（即ち、圧接子２６Ｂが上筐体２１の一部にスラスト方向に圧接されるのを阻止したり解除したりすること）ができ、これによって前述した圧接係合機構２６を外部から任意に操作して上筐体２１の滑らかな摺動と任意の折り畳み角度（回動位置）の位置での固定とを、ヒンジ部２３を介して自在に設定することができ、オペレータの好みの角度を維持したまま、折り畳み型携帯電話機を机の上に置くなどして使用することが出来る。
又、この第２の実施形態では、上筐体２１の折り畳み角度（回動位置）の位置を固定させる動作が一動作で行えるため、操作性が優れているという利点がある。
【００５０】
〔第３の実施形態〕
次に、第３の実施形態を図６に基づいて説明する。
この図６に示す第３の実施形態は、前述した第１実施形態の変形例（図４）の場合と同様に、ヒンジ部３の軸方向に沿って印加されるスラスト方向の外力を圧接係合機構３６部分で上筐体１用のラジアル方向の挟持力に変換し、このラジアル方向の挟持力をもって当該上筐体１を任意の折り畳み角度で固定するようにしたものである。
ここで、前述した第１実施形態の変形例（図４）と同一の構成部材については同一の符号を用いるものとする。以下これを詳細に説明する。
【００５１】
（構成）
この図６において、携帯電話機３０は、前述した第１実施形態と同様に、表示部１１等が装備される上筐体３１と、情報入力部１２等が装備される下筐体３２と、この上下各筐体３１，３２を相互に起伏動作自在に連結するヒンジ部３３とを有し、外部との情報送受信およびこれに対応した情報処理を実行する通信情報処理手段４を備えている。ここで、ヒンジ部３３は、上筐体３１と下筐体３２の各係合部３１Ａ，３２Ａが蝶番状に加工され係合された形態をもって構成されている。
【００５２】
ヒンジ部３３の一部には、前述した上下各筐体３１，３２の係合連結部分としての回動摺接部３４が設けられている。この回動摺接部３４には、前述した下筐体３２に保持され前記上筐体３１側との当接面（後述する嵌合突出部３１Ｅの先端部）に所定の圧接力を発生する圧接係合機構３６が併設されている。ここで、上述した回動摺接部３４および圧接係合機構３６は、いづれもヒンジ部３３の一部を成すと共に同一の回転軸芯上に配設されている。
【００５３】
前述した圧接係合機構３６は、図６（Ｂ）に示すように、ヒンジ部３３の一部を成す下筐体３２側の空洞部３２Ｂの内部に配設されその先端部外周が円錐体状に形成された押圧部材３６Ａと、前記上筐体３１側に設けられ前記押圧部材３６Ａの先端部の円錐体状外周面３６Ａａに係合する凹状円錐圧接面３１Ａａとにより構成されている。押圧部材３６Ａの図６（Ｂ）における右端部はロック操作用の固定ボタン３６Ａｋを構成している。
【００５４】
又、この図６（Ｂ）に示すように、前述した空洞部３２Ｂ内の左端部（当該空洞３２Ｂの内側開口部）に、前述した上筐体３１の一部が突出して回転自在に嵌合され、この上筐体２１でヒンジ部３３内に突出した嵌合突出部３１Ｅと前記下筐体３２の空洞３２Ｂの開口側部分３２Ｃとによって前述した係合連結部分としての回動摺接部３４が構成されている。
【００５５】
押圧部材３６Ａは、その中央部分の外周領域にはコイルばね３６Ｂが装備されている。このコイルばね３６Ｂは、一端が下筐体３２側の突起部３２ｅに係止され他端部が当該下筐体３２に往復移動自在に保持された前記押圧部材３６Ａに連結されている。このため、この押圧部材３６Ａは、コイルばね３６Ｂによって前述した凹状円錐圧接面３１Ａａから引き離される方向８（図６（Ｂ）の右方向）に常時付勢された状態で、下筐体３２側に装備されている。
又、この下筐体３２には、上述した押圧部材３６Ａが下筐体３２から外部へ離脱するのを阻止する押圧部材用ストッパ機構３７が装備されている。
【００５６】
この押圧部材用ストッパ機構３７は、押圧部材３６Ａの図６（Ｂ）における右端部内にその中心軸に直交する方向に形成された収納穴３６Ａｂと、この収納穴３６Ａｂ内に装備された断面十字状に形成された可動突起部材３７Ａと、この可動突起部材３７Ａを常時外部へ向けて押圧する圧縮バネ３７Ｂとを備えている。
【００５７】
又、前述した下筐体３２のヒンジ部３３部分で円筒状に形成された領域には、前述した可動突起部材３７Ａに対応した箇所に当該可動突起部材３７Ａが外部へ突出し離脱するのを係止する外面が座ぐり加工された係止穴（解除ボタン穴）３２ｈが設けられ、この解除ボタン穴である係止穴３２ｈから可動突起部材３７Ａの突起部（解除ボタン）３７Ａａが突き出された状態に配置されている。
更に、この突起部３７Ａａが前述した係止穴３２ｈに係止されることによって、前述した押圧部材３６Ａの先端部の円錐体状外周面３６Ａａが前述した下筐体３２側の凹状円錐圧接面３１Ｅａに圧接した状態が保持されるようになっている。
【００５８】
これにより、前述したコイルばね３６Ｂの圧縮力に抗してロック用の固定ボタン３６Ａｋ，即ち押圧部材３６Ａを押圧し前述した凹状円錐圧接面３１Ｅａにその先端部を圧接した状態で図６（Ｂ）の状態に設定すると、当該圧接係合機構３６の圧接状態が押圧部材用ストッパ機構３７のストッパ機能によって維持される。即ち、上筐体２１の折り畳み角度（回動位置）の位置で固定させることが可能となる。かかる状態は、前述した押圧部材３６Ａの先端部を適度に圧縮可能な弾性部材で形成すると、当該弾性部材の圧縮効果で圧接係合機構３６の圧接状態が有効に維持される。
【００５９】
又、前述した押圧部材用ストッパ機構３７の突起部３７Ａａを外部操作によって係止穴３２ｈ内に押し込むと、当該押圧部材用ストッパ機構３７による係止機能が解除される。かかる場合は、圧接係合機構３６による上筐体３１と下筐体３２とのヒンジ部３３における圧接係合状態が解除され、上筐体３１と下筐体３２とは、ヒンジ部３３部分での円滑なる回転動作が可能となる。
【００６０】
（第３実施形態の動作等）
折り畳み型携帯電話機３０の上筐体３１を好みの折り畳み角度角度に設定したところで、固定ボタンである押圧部材３６Ａを外部から所定の外力でヒンジ部３３部分に沿ってスラスト方向に押圧すると、押圧部材３６Ａの先端部の円錐体状外周面３６Ａａが凹状円錐圧接面３１Ｅａに当接し圧接する。すると、押圧部材３６Ａの先端部は円錐の角度によりヒンジ部３３のラジアル方向に拡がろうと下筐体３２側の内壁に圧力を生じさせる。
【００６１】
このラジアル方向に拡がろうとする圧接力によって、上述した回動摺接部３４部分では、前述した図４の場合と同様に、押圧部材３６Ａの先端部の円錐体状外周面３６Ａａと回動摺接部３４における下筐体３２の空洞３２Ｂ部分筒状端部３２Ｃとによって、上筐体２１の嵌合突出部３１Ｅ部分がラジアル方向に挟持される。
【００６２】
同時に、前述した押圧部材用ストッパ機構３７では、突起部（解除ボタン）３７Ａａが図６（Ｂ）に示すようにコイルばね３７Ｂに押し上げられて係止穴（解除ボタン穴）３２ｈから頭を突出させ、これにより、外力によって押し込まれた押圧部材３６Ａが下筐体３２の空洞３２Ｂ内で係止され、外部（図６（Ｂ）の右方向）への飛び出しが阻止されるようになっている。かかる一連の動作にとって得られる上筐体３１の固定状態を図６（Ｂ）に示す。
【００６３】
このため、上述した押圧部材３６Ａの押し込むタイミングを任意に設定することにより、上筐体３１の一部がヒンジ部３３内でラジアル方向の挟持力によって挟持され、これによって、前述した上筐体３１を好みの折り畳み角度に設定することができ、当該携帯電話機を机の上に置くなどして使用することが出来る。
【００６４】
又、この固定状態を解除するには、前述した突起部（解除ボタン）３７Ａａを押下すると、コイルばね３６Ｂによって固定ボタンである押圧部材３６Ａが押し戻される。そして、その際、突起部（解除ボタン）３７Ａａは下筐体３２のヒンジ３３部の内壁に潜り込んだ状態となる。これにより、押圧部材３６Ａは図６（Ｂ）の右方向に押し出されて上筐体３１と下筐体３２とのヒンジ部３３部分での圧接係合が解除され、上筐体３１の円滑なる起伏回動が可能となる。
このように、本第３の実施形態（図６）における折り畳み型携帯電話機３０は、固定や解除の動作が一動作で行えるため、操作性に優れている。
【００６５】
（第３実施形態の変形例）
図７にこれを示す。この図７に示す変形例は、前述した図６に示すコイルばね３６Ｂを、圧接係合機構４７用の押圧ばね４７Ａとして圧接係合機構４７に組み込んだ点に特徴を有する。
【００６６】
以下、これを説明する。ここで、前述した図６の実施形態と同一の構成部材については同一の符号を用いるものとする。
図７において、圧接係合機構４７は、ヒンジ部３３部分における下筐体３２側の内部（空洞部３２Ｂ内）に配置されたばね機構としての押圧ばね４７Ａと、この押圧ばね４７Ａの押圧力を受けて前記ヒンジ部３３内で前述した上筐体３１の一部に圧接される圧接子４７Ｂと、この圧接子４７Ｂを同一の中心軸上で往復移動自在に保持すると共に当該圧接子４７Ｂの移動を案内する圧接子保持部材４７Ｃと、この圧接子保持部材４７Ｃを前述した下筐体３２に係合自在に係止する保持部材係止機構としての押圧部材用ストッパ機構３７とを備えて構成されている。
【００６７】
ここで、上述した圧接係合機構４７の圧接子４７Ｂは、その先端部外面が円錐体状に形成され、この円錐体状外面４７Ｂａが当接する前記上筐体３１側の一部には、前記圧接子４７Ｂの円錐体状外面に対応して凹状円錐圧接面３１Ｅａが形成されている。又、上記圧接子４７Ｂの図７（Ｂ）における右端部には柱状軸心部４７Ｂｂが設けられ、この柱状軸心部４７Ｂｂを介して前述した圧接子４７Ｂが圧接子保持部材４７Ｃに保持されるようになっている。符号４７Ｂｃは押圧ばね４７Ａに押圧されると共に当該押圧ばね４７Ａの一端部を係止するバネ受け部を示す。このバネ受け部４７Ｂｃは前述した圧接子４７Ｂの一部を成し円盤状に形成されている。
【００６８】
更に、符号４７Ｃａは圧接子保持部材４７Ｃに形成された圧接子保持穴を示す。又、符号４７Ｃｂは圧接子保持部材４７Ｃの中心軸線上に形成された通気穴を示す。この通気穴４７Ｃｂは、圧接子保持穴４７Ｃａ内の空気の出入りを円滑にする機能を有する。このため、この通気穴４７Ｃｂは圧接子保持穴４７Ｃａと外気とを連通する穴であれば、中心軸線上以外の他の箇所に形成してもよい。
その他の構成は前述した図６の第３実施形態と同一となっている。
【００６９】
このようにしても、前述した第３実施形態と同一の作用効果を有するほか、更に、圧接子４７Ｂを押圧ばね４７Ａの押圧力によって常時押圧する構成としたので、上述した第３実施形態の場合と同様に、上筐体３１の一部がヒンジ部３３内でラジアル方向の挟持力によって挟持され、これによって、前述した上筐体３１を好みの折り畳み角度に設定することができ、当該携帯電話機を机の上に置くなどして使用することが出来る。
【００７０】
更に、この図７に変形例では、圧接子４７Ｂが内蔵した押圧ばね４７Ａによって常時押圧される構成としたので、一度設定すると圧接子４７Ｂの押圧力（圧接力）が低下することかない。このため、上筐体３１を任意の折り畳み角度（回動位置）で、長期間安定して固定させることができるという従来にない携帯電話機を得ることができる。
【００７１】
以上のように、上述した各実施形態における折り畳み型携帯電話機にあっては、上筐体を好みの角度で固定することが出来るため、机に置いて使用する際などの操作性、使用勝手が向上する。
【産業上の利用可能性】
【００７２】
折り畳み式の携帯端末をはじめとして、折り畳み式の全ての電子機器に利用できる。
【図面の簡単な説明】
【００７３】
【図１】本発明の第１実施形態を示す概略斜視図である。
【図２】図１に示す実施形態の信号処理系を示すブロック図である。
【図３】図１に開示した実施形態のヒンジ部を示す図で、図３（Ａ）はその外観図、図３（Ｂ）は図３（Ａ）のＡ−Ａ線に沿った拡大部分断面図である。
【図４】図１乃至図３に開示した第１実施形態の変形例を示す図で、図４（Ａ）はそのヒンジ部を示す外観図、図４（Ｂ）は図４（Ａ）のＢ−Ｂ線に沿った拡大部分断面図である。
【図５】本発明の第２実施形態を示す図で、図５（Ａ）はそのヒンジ部を示す外観図、図５（Ｂ）は図５（Ａ）のＣ−Ｃ線に沿った拡大部分断面図である。
【図６】本発明の第３実施形態を示す図で、図６（Ａ）はそのヒンジ部を示す外観図、図６（Ｂ）は図６（Ａ）のＤ−Ｄ線に沿った拡大部分断面図である。
【図７】図６に開示した第３実施形態の変形例を示す図で、図７（Ａ）はそのヒンジ部を示す外観図、図７（Ｂ）は図７（Ａ）のＥ−Ｅ線に沿った拡大部分断面図である。
【符号の説明】
【００７４】
１，２１，３１  上筐体
２，２２，３２  下筐体
３，２３，３３  ヒンジ部
３Ａｂ，３１Ｅａ  凹状円錐圧接面
４  通信情報処理手段
５，２４，３４  回動摺接部
６，２６，３６  圧接係合機構
７  ネジ機構
７Ａ  雌ねじ
７Ｂ  雄ねじ
１２  表示部
１７Ｂａ  外部操作部
１７Ｂｂ  円錐体状外面
２１Ｅａ  当接押圧面
２６Ａ，４７Ａ  ばね機構
２６Ｂ，４７Ｂ  圧接子
２６Ｂｃ  傾斜面
２７  ストッパ機構
２７Ａ  操作子
２７Ａｈ  操作子係止用突起
２７Ｂ  ガイド部
３１Ｅａ  凹状円錐圧接面
３７  保持部材係止機構
４７Ｃ  圧接子保持部材
【図１】
2007208628.tif 000003
【図２】
2007208628.tif 000004
【図３】
2007208628.tif 000005
【図４】
2007208628.tif 000006
【図５】
2007208628.tif 000007
【図６】
2007208628.tif 000008
【図７】
2007208628.tif 000009